(57)【要約】【課題】  排水側溝の下流端に、そこを流れる排水を導く排水桝を接続し、その排水桝内に阻集篭を収容し、その阻集篭内に排水中に混入する残菜、野菜屑などの廃棄物を集めて、その廃棄物が排水路に流れ出ないようにしたものにおいて、排水路を流れる排水からの悪臭が外部に発散しないようにした。【解決手段】  排水側溝１０に接続される排水桝２０内に防臭桝４０を設け、この防臭桝４０の排出部４２に回転蓋４８を開閉可能に設け、回転蓋４８には、これを閉じ方向に付勢する重錘５０を設け、排水桝２０の排水口２５を流れる排水の重量が重錘５０の付勢力を超えると回転蓋４８を開くようにした。【選択図】    図３
2018003446.tif 000002
【特許請求の範囲】
【請求項１】
防臭機能を備えた排水桝構造であって、
厨房施設などの床面（ｆ）に設けた排水側溝（１０）に接続される排水桝（２０）と、前記排水桝（２０）内に設けられて廃棄物（Ｒ）を貯留する阻集篭（３０）と、該阻集篭（３０）の下方で、前記排水桝（２０）の下部に設けられる防臭桝（４０）とを備え、
前記防臭桝（４０）の排出部（４２）は、前記排水桝（２０）の排水口（２５）に連通されていて、前記排出部（４２）には、該排出部（４２）を開閉し得る回転蓋（４８）が開閉可能に設けられており、前記回転蓋（４８）には、該回転蓋（４８）を閉じ方向に付勢する付勢手段（５０）が設けられ、前記排出部（４２）を流れる排水の重量が前記付勢手段（５０）の付勢力を超えると前記回転蓋（４８）が開放されることを特徴とする防臭機能を備えた排水桝構造。
【請求項２】
前記回転蓋（４８）を閉じ方向に付勢する付勢手段（５０）は、該回転蓋（４８）に設けた重錘よりなることを特徴とする、前記請求項１に記載の防臭機能を備えた排水桝構造。
【請求項３】
前記回転蓋（４８）は、前記防臭桝（４０）の外部に配設されていて、前記防臭桝（４０）の排出部（４２）の外部に開閉可能に軸支されていることを特徴とする、前記請求項１または２に記載の防臭機能を備えた排水桝構造。
【発明の詳細な説明】
【技術分野】
【０００１】
本発明は、厨房施設等における排水側溝の下流端に接続される排水桝に設けられて、排水桝の排水路から発散する悪臭の外部への拡散を可及的に抑制できるようにした、防臭機能を備えた排水桝構造に関する。
【背景技術】
【０００２】
従来、食品工場、給食センターなどの厨房施設では、排水側溝の下流端に、そこを流れる排水を導く排水桝を接続し、その排水桝内に阻集篭を収容し、その阻集篭内に排水中に混入する残菜、野菜屑などの廃棄物を集めて、その廃棄物が排水路に流れ出ないようにしたものが従来より知られている。
【０００３】
例えば、図６に例示したように、排水側溝の端部に接続した排水桝内の受け部上に、上部を開放した阻集篭を着脱可能に載置し、この阻集篭内に排水中の前記廃棄物を分離、回収し、排水桝内の排水は排水路に排出するようにしている。
【発明の概要】
【発明が解決しようとする課題】
【０００４】
ところで、排水桝に排水を流す排水路内には長年の使用により、その内部に廃棄物が沈殿、堆積し、また、休日により一時使用を中止した際に排水路内部の貯留水が乾燥して排水路の下流端に接続される外部浄化槽などからの臭気の逆流現象が発生して、外部に露出されている排水路から悪臭が外部に放散されて、使用に耐えない状態になることがあるという問題がある。
【０００５】
そこで、現状では、雑巾や切り板などで排水路の開口部を覆って対処しているが、抜本的な対策にはならず、永続的に臭気を防ぐことができず、前記問題解決には至っていない。
【０００６】
本発明はかかる実情に鑑みてなされたものであり、排水桝に後に述べる防臭機能を施すことにより、前記問題を解決できるようにした、新規な防臭機能を備えた排水桝構造を提供することを目的とする。
【課題を解決するための手段】
【０００７】
前記目的を達成するために、請求項１の発明は、排水側溝の下流端に接続される排水桝の防臭装置であって、
前記排水桝内に設けられて廃棄物を貯留する阻集篭と、阻集篭の下方で、前記排水桝の下部に着脱可能に設けられる防臭桝とを備え、
前記防臭桝の排出部は、前記排水桝の排水口に連通されていて、前記排出部には該排出部を開閉し得る回転蓋が開閉可能に設けられており、前記回転蓋には、該回転蓋を閉じ方向に付勢する付勢手段が設けられ、前記排水部を流れる排水の重量が前記付勢手段の付勢力を超えると前記回転蓋が開放されることを特徴としている。
【０００８】
前記目的を達成するために、請求項２の発明は、前記請求項１に記載のものにおいて、前記回転蓋を閉じ方向に付勢する付勢手段は、前記防臭桝に設けた重錘よりなることを特徴としている。
【０００９】
前記目的を達成するために、請求項３の発明は、前記請求項１または２に記載のものにおいて、前記回転蓋は、前記防臭桝の外部に配設されていて、前記防臭桝の排出部の外部に開閉可能に軸支されていることを特徴としている。
【発明の効果】
【００１０】
以上のように、本発明によれば、排水処理後の排水桝の排水口に連通する、防臭桝の排出部を回転蓋により閉じることができるので、排水路の開口部から外部への悪臭の発散を抑制することができ、快適な作業を行うことができ、作業能率を大幅に改善することができる。また排水部に所定量の排水が溜まると回転蓋の開放により排水を行うことができる。
【００１１】
また、特に請求項２の発明によれば、前記回転蓋を閉じ方向に付勢する付勢手段は、防臭桝に設けた重錘よりなるので、回転蓋自体で、その閉じ方向への作動を軽快、的確に行うことができる。
【００１２】
また、特に請求項３の発明によれば、前記回転蓋は、前記防臭桝の外部に配設されていて、前記防臭桝の出口の外部に開閉可能に軸支されているので、回転蓋の防臭桝への取付構造を簡素化することができる。
【図面の簡単な説明】
【００１３】
【図１】本発明排水桝の防臭装置を備えた排水路構造の全体平面図
【図２】図１の２−２線に沿う断面図
【図３】図２の３線矢視の仮想線囲い部分の拡大断面図
【図４】図３の４−４線に沿う拡大図
【図５】防臭桝の分解斜視図
【図６】従来の阻集篭を備えた排水路構造の断面図
【発明を実施するための形態】
【００１４】
本発明の１実施形態を、添付図面に基づいて以下に具体的に説明する。
【００１５】
図１〜３において、食品工場、給食センターなどの厨房施設の、コンクリート製床スラブＦの適所には、その床面ｆに開口した排水溝ｇが一体成形され、この排水溝ｇ内に、排水側溝１０が配設される。床面ｆ上を流れる排水は、この排水側溝１０より、排水桝２０の排水路５１を通ってに外部浄化槽などに導かれる。
【００１６】
排水側溝１０は、床面ｆに開放する開放上面を有して横断面Ｕ字状に形成されており、その底面は、上流側から下流側に向かってなだらかな下り勾配が付されている。またその開放上面には、複数の長方形のグレーチングＧ1 が、床面ｆと面一に載置される。
【００１７】
床スラブＦには、排水側溝１０の下流端に連通される、コンクリート製の排水桝収容凹部１１が一体に成形されており、この排水桝収容凹部１１は、床面ｆに開口していてその内部に打込アンカーＡにより排水桝２０が固着されている。
【００１８】
前記排水桝２０は、ステンレス板により形成されていて、上部２０ｕ、中間部２０ｍおよび下部２０ｄが、その横断面積を上から下に順次に縮小して段状に連続的に一体に形成され、上部２０ｕの開放上面には、四角なグレーチングＧ2 が着脱可能に載置される。上部２０ｕの下部と、中間部２０ｍに上部との境界部には、上から下へ下り勾配に傾斜する阻集篭支持面２３が形成され、その支持面２３には、後述する阻集篭３０が着脱可能に支持される。
【００１９】
また、中間部２０ｍの下部と、下部２０ｄの上部との境界部には、上から下へ下り勾配に傾斜する防臭桝支持面２４が形成されており、この支持面２４には、後述する防臭桝４０が着脱可能に支持される。下部２０ｄの下部縁の中央には排水口２５が開口される。
【００２０】
前記阻集篭３０は、ステンレス板により形成され、全面に複数の排水口を開口したパンチング板よりなる箱状の廃棄物収容部３１の開口上部に、下から上へ上り勾配に傾斜する支持壁３２を一体に形成してなり、その支持壁３２が排水桝２０の阻集篭支持面２３上に着脱可能に載置される。この支持壁３２の対向部には、門型の対をなす手掛け３３が固定され、その手掛け３３を把持して阻集篭３０を持ち運びできるようにされている。
【００２１】
図３〜５に示すように、前記防臭桝４０は、ステンレス板により形成されて、平面視四角な漏斗状の防臭桝部４１の中央下面に四角筒状の排出部４２を一体に接続して構成される。防臭桝部４１の外周縁は、排水桝２０の防臭桝支持面２４に着脱可能に着座する下から上へ上り勾配に傾斜する着座面４３に形成されており、また防臭桝部４１の底壁４４は、その外周辺から排出部４２に向かって下り勾配に傾斜する傾斜面に形成されている。防臭桝部４１の外縁の対向位置には、対をなす門型の手掛け４５が固定され、その手掛け４５を把持して防臭桝４０を持ち運びできるようにされている。
【００２２】
前記排出部４２には、その出口を開閉する皿状の回転蓋４８が上下方向に回動自在に軸支されている。すなわち、図５に明瞭に示すように、排出部４２の相対向する両側辺の外縁には、一対のブラケット４６が突設され、回転蓋４８の起立壁４８3 には一対の支持孔４９が開口され、前記ブラケット４６と支持孔４９とに跨がって支持軸４７を貫通連結して、この支持軸４７により、回転蓋４８が上下方向に回動自在に軸支されている。前記回転蓋４８は、排出部４２の出口を開閉する回転蓋部４８1 の基端に延長部４８2 が一体に延長されており、この延長部４８2 の自由端に付勢手段すなわち重錘５０が固着されている。この重錘５０は、回転蓋４８をその軸支部回りに閉じ方向（図３時計方向）に回動するように付勢している。
【００２３】
そして、後に述べるように、防臭桝４０内の流入した排水が、排出部４２に貯水され、その貯水重量が重錘５０の重量を超えると、回転蓋４８が開く（図３鎖線位置）ようにされている。
【００２４】
前記防臭桝４０の排出部４２は、排水桝２の排水口２５を通り、床スラブＦに形成される排水路５１を通って外部浄化槽などに連通される。
【００２５】
つぎに、前記１実施形態の作用について説明する。
【００２６】
厨房施設などにおいて、床面ｆを流れる排水は、図２，３実線矢印に示すように、食品屑、残菜などの廃棄物Ｒと共に排水側溝１０内を流れて排水桝２０内に流入する。
【００２７】
排水と共に排水桝２０内に流入した廃棄物Ｒは、阻集篭３０の廃棄物収容部３１内に貯留される。一方、排水は、廃棄物収容部３１の排水口を通って防臭桝４０内に流れ落ちる。
【００２８】
防臭桝４０の排出部４２は、重錘５０により閉じ方向に付勢される回転蓋４８によって閉じられており、防臭桝４０に貯留される排水の重量が、重錘５０による閉じ力を超えると、図３に鎖線で示すように、回転蓋４８が開き、排水は排水路５１を通って外部に排出される。
【００２９】
ところで、排水桝２０の排水を流す排水路５１においては、長年の使用による沈殿物の堆積や、休日により一時使用を中止した際に排水路５１内部の残留水が乾燥して無くなるなどの理由で、排水桝２０に連なる外部浄化槽などからの臭気の逆流現象が起こり、外部に露出している排水路５１から使用に耐えない悪臭が発散することが頻繁に発生するが、本実施形態によれば、排水桝２０の下部２０ｄに設けられる防臭桝４０の排出部４２は、そこに所定量の排水が貯留されない限りは、回転蓋４８により閉じられているので、前記悪臭の逆流現象を防止することができ、排水路５１からの悪臭の発散を極力低減することができる。
【００３０】
また、防臭桝４０の排出部４２に排水が貯留されて、その排水の重量が、重錘５０の閉じ方向の付勢力よりも大きくなると、回転蓋４８が下方へ開き、排水を行うことができる。また排水処理を行った後は、重錘５０の作用で回転蓋４８を元の閉じ位置に戻すことにより、前述のように排水路５１からの悪臭の発散が防止される。
【００３１】
以上、本発明の実施形態を詳述したが、本発明はこの実施形態に限定されるものでなく、種々の小設計変更を行うことが可能である。
【００３２】
たとえば、前記実施形態では、付勢手段として、重錘を用いた場合を説明したが、その重錘に代えて回転蓋と防臭桝間に連結される弾性部材などの他の付勢手段に置き換えてもよい。  
【符号の説明】
【００３３】
１０・・・排水側溝
２０・・・排水桝
２５・・・排水口
３０・・・阻集篭
４０・・・防臭桝
４２・・・排出部
４８・・・回転蓋
５０・・・付勢手段（重錘）
５１・・・排水路
ｆ・・・床面
Ｒ・・・廃棄物
【図１】
2018003446.tif 000003
【図２】
2018003446.tif 000004
【図３】
2018003446.tif 000005
【図４】
2018003446.tif 000006
【図５】
2018003446.tif 000007
【図６】
2018003446.tif 000008
【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
排水側溝（１０）に接続される排水桝（２０）内には、その上流側に廃棄物を貯留する阻集篭（３０）を、その下流側に、防臭桝（４０）をそれぞれ着脱可能に設け、前記防臭桝（４０）の排出部（４２）は、前記排水桝（２０）の排水口（２５）の真上にあって該排水口（２５）に連通されており、前記排出部（４２）には、該排出部（４２）を開閉し得る回転蓋（４８）が開閉可能に設けられ、前記回転蓋（４８）には、該回転蓋（４８）を閉じ方向に付勢する付勢手段（５０）が設けられ、前記排水口（２５）を流れる排水の重量が前記付勢手段（５０）の付勢力を超えると、前記回転蓋（４８）が開放されるようにした、防臭機能を備えた排水桝構造において、
前記阻集篭（３０）の下方において、排水桝（２０）には、その内周面の全周にわたって上から下へ下り勾配に傾斜する防臭篭支持面（２４）が形成され、前記防臭桝（４０）の防臭篭部（４１）の外周縁の全周には、下から上に上り勾配に傾斜する着座面（４３）が形成され、この着座面（４３）を前記防臭篭支持面（２４）上に着脱可能に着座させ、前記防臭桝（４０）を排水桝（２０）の所定位置に単体で支持させたことを特徴とする、防臭機能を備えた排水桝構造。
【請求項２】
前記回転蓋（４８）を閉じ方向に付勢する付勢手段（５０）は、該回転蓋（４８）に設けた重錘よりなることを特徴とする、前記請求項１に記載の防臭機能を備えた排水桝構造。
【請求項３】
前記回転蓋（４８）は、前記防臭桝（４０）の外部に配設されていて、前記防臭桝（４０）の排出部（４２）の外部に開閉可能に軸支されていることを特徴とする、前記請求項１または２に記載の防臭機能を備えた排水桝構造。
【手続補正２】
【補正対象書類名】明細書
【補正対象項目名】全文
【補正方法】変更
【補正の内容】
【発明の詳細な説明】
【技術分野】
【０００１】
本発明は、厨房施設等における排水側溝の下流端に接続される排水桝に設けられて、排水桝の排水路から発散する悪臭の外部への拡散を可及的に抑制できるようにした、防臭機能を備えた排水桝構造に関する。
【背景技術】
【０００２】
従来、食品工場、給食センターなどの厨房施設では、排水側溝の下流端に、そこを流れる排水を導く排水桝を接続し、その排水桝内に阻集篭を収容し、その阻集篭内に排水中に混入する残菜、野菜屑などの廃棄物を集めて、その廃棄物が排水路に流れ出ないようにしたものが従来より知られている。
【０００３】
例えば、図６に例示したように、排水側溝の端部に接続した排水桝内の受け部上に、上部を開放した阻集篭を着脱可能に載置し、この阻集篭内に排水中の前記廃棄物を分離、回収し、排水桝内の排水は排水路に排出するようにしている。
【発明の概要】
【発明が解決しようとする課題】
【０００４】
ところで、排水桝に排水を流す排水路内には長年の使用により、その内部に廃棄物が沈殿、堆積し、また、休日により一時使用を中止した際に排水路内部の貯留水が乾燥して排水路の下流端に接続される外部浄化槽などからの臭気の逆流現象が発生して、外部に露出されている排水路から悪臭が外部に放散されて、使用に耐えない状態になることがあるという問題がある。
【０００５】
そこで、現状では、雑巾や切り板などで排水路の開口部を覆って対処しているが、抜本的な対策にはならず、永続的に臭気を防ぐことができず、前記問題解決には至っていない。
【０００６】
本発明はかかる実情に鑑みてなされたものであり、排水桝に後に述べる防臭機能を施すことにより、前記問題を解決できるようにした、新規な防臭機能を備えた排水桝構造を提供することを目的とする。
【課題を解決するための手段】
【０００７】
前記目的を達成するために、請求項１の発明は、排水側溝に接続される排水桝内には、その上流側に廃棄物を貯留する阻集篭を、その下流側に、防臭桝をそれぞれ着脱可能に設け、前記防臭桝の排出部は、前記排水桝の排水口の真上にあって該排水口に連通されており、前記排出部には、該排出部を開閉し得る回転蓋が開閉可能に設けられ、前記回転蓋には、該回転蓋を閉じ方向に付勢する付勢手段が設けられ、前記排水口を流れる排水の重量が前記付勢手段の付勢力を超えると、前記回転蓋が開放されるようにした、防臭機能を備えた排水桝構造において、
前記阻集篭の下方において、排水桝には、その内周面の全周にわたって上から下へ下り勾配に傾斜する防臭篭支持面が形成され、前記防臭桝の防臭篭部の外周縁の全周には、下から上に上り勾配に傾斜する着座面が形成され、この着座面を前記防臭篭支持面上に着脱可能に着座させ、前記防臭桝を排水桝の所定位置に単体で支持させたことを特徴としている。
【０００８】
前記目的を達成するために、請求項２の発明は、前記請求項１に記載のものにおいて、前記回転蓋を閉じ方向に付勢する付勢手段は、前記防臭桝に設けた重錘よりなることを特徴としている。
【０００９】
前記目的を達成するために、請求項３の発明は、前記請求項１または２に記載のものにおいて、前記回転蓋は、前記防臭桝の外部に配設されていて、前記防臭桝の排出部の外部に開閉可能に軸支されていることを特徴としている。
【発明の効果】
【００１０】
以上のように、本発明によれば、排水処理後の排水桝の排水口に連通する、防臭桝の排出部を回転蓋により閉じることができるので、排水路の開口部から外部への悪臭の発散を抑制することができ、快適な作業を行うことができ、作業能率を大幅に改善することができる。また排水部に所定量の排水が溜まると回転蓋の開放により排水を行うことができる。
【００１１】
また、特に請求項２の発明によれば、前記回転蓋を閉じ方向に付勢する付勢手段は、防臭桝に設けた重錘よりなるので、回転蓋自体で、その閉じ方向への作動を軽快、的確に行うことができる。
【００１２】
また、特に請求項３の発明によれば、前記回転蓋は、前記防臭桝の外部に配設されていて、前記防臭桝の出口の外部に開閉可能に軸支されているので、回転蓋の防臭桝への取付構造を簡素化することができる。
【図面の簡単な説明】
【００１３】
【図１】本発明排水桝の防臭装置を備えた排水路構造の全体平面図
【図２】図１の２−２線に沿う断面図
【図３】図２の３線矢視の仮想線囲い部分の拡大断面図
【図４】図３の４−４線に沿う拡大図
【図５】防臭桝の分解斜視図
【図６】従来の阻集篭を備えた排水路構造の断面図
【発明を実施するための形態】
【００１４】
本発明の１実施形態を、添付図面に基づいて以下に具体的に説明する。
【００１５】
図１〜３において、食品工場、給食センターなどの厨房施設の、コンクリート製床スラブＦの適所には、その床面ｆに開口した排水溝ｇが一体成形され、この排水溝ｇ内に、排水側溝１０が配設される。床面ｆ上を流れる排水は、この排水側溝１０より、排水桝２０の排水路５１を通って外部浄化槽などに導かれる。
【００１６】
排水側溝１０は、床面ｆに開放する開放上面を有して横断面Ｕ字状に形成されており、その底面は、上流側から下流側に向かってなだらかな下り勾配が付されている。またその開放上面には、複数の長方形のグレーチングＧ1 が、床面ｆと面一に載置される。
【００１７】
床スラブＦには、排水側溝１０の下流端に連通される、コンクリート製の排水桝収容凹部１１が一体に成形されており、この排水桝収容凹部１１は、床面ｆに開口していてその内部に打込アンカーＡにより排水桝２０が固着されている。
【００１８】
前記排水桝２０は、ステンレス板により形成されていて、上部２０ｕ、中間部２０ｍおよび下部２０ｄが、その横断面積を上から下に順次に縮小して段状に連続的に一体に形成され、上部２０ｕの開放上面には、四角なグレーチングＧ2 が着脱可能に載置される。上部２０ｕの下部と、中間部２０ｍに上部との境界部には、上から下へ下り勾配に傾斜する阻集篭支持面２３が形成され、その支持面２３には、後述する阻集篭３０が着脱可能に支持される。
【００１９】
また、中間部２０ｍの下部と、下部２０ｄの上部との境界部には、上から下へ下り勾配に傾斜する防臭篭支持面２４が形成されており、この支持面２４には、後述する防臭桝４０が着脱可能に支持される。下部２０ｄの下部縁の中央には排水口２５が開口される。
【００２０】
前記阻集篭３０は、ステンレス板により形成され、全面に複数の排水口を開口したパンチング板よりなる箱状の廃棄物収容部３１の開口上部に、下から上へ上り勾配に傾斜する支持壁３２を一体に形成してなり、その支持壁３２が排水桝２０の阻集篭支持面２３上に着脱可能に載置される。この支持壁３２の対向部には、門型の対をなす手掛け３３が固定され、その手掛け３３を把持して阻集篭３０を持ち運びできるようにされている。
【００２１】
図３〜５に示すように、前記防臭桝４０は、ステンレス板により形成されて、平面視四角な漏斗状の防臭篭部４１の中央下面に四角筒状の排出部４２を一体に接続して構成される。防臭篭部４１の外周縁は、排水桝２０の防臭篭支持面２４に着脱可能に着座する下から上へ上り勾配に傾斜する着座面４３に形成されており、また防臭篭部４１の底壁４４は、その外周辺から排出部４２に向かって下り勾配に傾斜する傾斜面に形成されている。防臭篭部４１の外縁の対向位置には、対をなす門型の手掛け４５が固定され、その手掛け４５を把持して防臭桝４０を持ち運びできるようにされている。
【００２２】
前記排出部４２には、その出口を開閉する皿状の回転蓋４８が上下方向に回動自在に軸支されている。すなわち、図５に明瞭に示すように、排出部４２の相対向する両側辺の外縁には、一対のブラケット４６が突設され、回転蓋４８の起立壁４８3 には一対の支持孔４９が開口され、前記ブラケット４６と支持孔４９とに跨がって支持軸４７を貫通連結して、この支持軸４７により、回転蓋４８が上下方向に回動自在に軸支されている。前記回転蓋４８は、排出部４２の出口を開閉する回転蓋部４８1 の基端に延長部４８2 が一体に延長されており、この延長部４８2 の自由端に付勢手段すなわち重錘５０が固着されている。この重錘５０は、回転蓋４８をその軸支部回りに閉じ方向（図３時計方向）に回動するように付勢している。
【００２３】
そして、後に述べるように、防臭桝４０内の流入した排水が、排出部４２に貯水され、その貯水重量が重錘５０の重量を超えると、回転蓋４８が開く（図３鎖線位置）ようにされている。
【００２４】
前記防臭桝４０の排出部４２は、排水桝２０の排水口２５を通り、床スラブＦに形成される排水路５１を通って外部浄化槽などに連通される。
【００２５】
つぎに、前記１実施形態の作用について説明する。
【００２６】
厨房施設などにおいて、床面ｆを流れる排水は、図２，３実線矢印に示すように、食品屑、残菜などの廃棄物Ｒと共に排水側溝１０内を流れて排水桝２０内に流入する。
【００２７】
排水と共に排水桝２０内に流入した廃棄物Ｒは、阻集篭３０の廃棄物収容部３１内に貯留される。一方、排水は、廃棄物収容部３１の排水口を通って防臭桝４０内に流れ落ちる。
【００２８】
防臭桝４０の排出部４２は、重錘５０により閉じ方向に付勢される回転蓋４８によって閉じられており、防臭桝４０に貯留される排水の重量が、重錘５０による閉じ力を超えると、図３に鎖線で示すように、回転蓋４８が開き、排水は排水路５１を通って外部に排出される。
【００２９】
ところで、排水桝２０の排水を流す排水路５１においては、長年の使用による沈殿物の堆積や、休日により一時使用を中止した際に排水路５１内部の残留水が乾燥して無くなるなどの理由で、排水桝２０に連なる外部浄化槽などからの臭気の逆流現象が起こり、外部に露出している排水路５１から使用に耐えない悪臭が発散することが頻繁に発生するが、本実施形態によれば、排水桝２０の下部２０ｄに設けられる防臭桝４０の排出部４２は、そこに所定量の排水が貯留されない限りは、回転蓋４８により閉じられているので、前記悪臭の逆流現象を防止することができ、排水路５１からの悪臭の発散を極力低減することができる。
【００３０】
また、防臭桝４０の排出部４２に排水が貯留されて、その排水の重量が、重錘５０の閉じ方向の付勢力よりも大きくなると、回転蓋４８が下方へ開き、排水を行うことができる。また排水処理を行った後は、重錘５０の作用で回転蓋４８を元の閉じ位置に戻すことにより、前述のように排水路５１からの悪臭の発散が防止される。
【００３１】
以上、本発明の実施形態を詳述したが、本発明はこの実施形態に限定されるものでなく、種々の小設計変更を行うことが可能である。
【００３２】
たとえば、前記実施形態では、付勢手段として、重錘を用いた場合を説明したが、その重錘に代えて回転蓋と防臭桝間に連結される弾性部材などの他の付勢手段に置き換えてもよい。  
【符号の説明】
【００３３】
１０・・・排水側溝
２０・・・排水桝
２４・・・防臭篭支持面
２５・・・排水口
３０・・・阻集篭
４０・・・防臭桝
４１・・・防臭篭部
４３・・・着座面
４２・・・排出部
４８・・・回転蓋
５０・・・付勢手段（重錘）
５１・・・排水路
ｆ・・・床面
Ｒ・・・廃棄物